(57)【要約】【課題】ＭＲＩにおけるハードウェア、アプリケーション、パルスシーケンス、さらには臨床プロトコルの普及促進を図ること。【解決手段】ＭＲＩシステムセンタ装置は、ＭＲＩ装置から、ＭＲＩ装置の使用状況を記録したログファイルのデータ又はログファイルから抽出した使用状況データを受信するユニット１７と、ログファイルのデータ又は使用状況データを保管するユニット１０と、所定期間内に受信したログファイルのデータ又は使用状況データを分析し、所定期間内のパルスシーケンス、アプリケーション、臨床プロトコル、画像ソフトウェア及びＲＦコイルの少なくともいずれかの使用回数又は使用時間をＭＲＩ装置ごとに集計し分析データを生成するとともに、使用回数又は使用時間に基づいて経営支援情報を生成するユニット２０と、を具備することを特徴とする。【選択図】図３
2011062571.tif 000002
【特許請求の範囲】
【請求項１】
磁気共鳴現象を利用して被検体の内部を映像化する複数のＭＲＩ装置に電子的通信手段を介して接続されたＭＲＩシステムセンタ装置において、
前記ＭＲＩ装置から、前記ＭＲＩ装置の使用状況を記録したログファイルのデータ又は前記ログファイルから抽出した使用状況データを受信するユニットと、
前記ログファイルのデータ又は前記使用状況データを保管するユニットと、
所定期間内に受信した前記ログファイルのデータ又は前記使用状況データを分析し、前記所定期間内のパルスシーケンス、アプリケーション、臨床プロトコル、画像ソフトウェア及びＲＦコイルの少なくともいずれかの使用回数又は使用時間を前記ＭＲＩ装置ごとに集計し分析データを生成するとともに、前記使用回数又は使用時間に基づいて経営支援情報を生成するユニットと、を具備することを特徴とするＭＲＩシステムセンタ装置。
【請求項２】
前記経営支援情報には、前記パルスシーケンスの使い方の偏りを含む統計データが含まれることを特徴とする請求項１記載のＭＲＩシステムセンタ装置。
【請求項３】
前記経営支援情報には、前記使用回数又は使用時間に関する前記複数のＭＲＩ装置における平均使用回数又は平均使用時間との比較と、前記被検体一人あたりにかかる時間又は前記ＭＲＩ装置を用いた１日あたりの被検体数と、前記被検体一人あたりにかかる時間又は前記ＭＲＩ装置を用いた１日あたりの被検体数に関する前記複数のＭＲＩ装置における平均時間又は平均被検体数との比較とが含まれることを特徴とする請求項１記載のＭＲＩシステムセンタ装置。
【発明の詳細な説明】
【技術分野】
【０００１】
本発明は、磁気共鳴現象を利用して被検体内部を映像化するＭＲＩシステム及びＭＲＩシステムセンタ装置に関する。
【背景技術】
【０００２】
磁気共鳴映像装置（ＭＲＩ）は人体の解剖学的な断面図等を非侵襲で取得する方法として広く活用されている。ＭＲＩは、繰り返し時間ＴＲ及びエコー時間ＴＥ等の撮影条件を変更することで、様々なコントラストの画像を取得することができる。
【０００３】
近年はパルスシーケンスの工夫により拡散や還流など機能的な情報を含む画像も撮影できるようになってきた。ＭＲＡ（磁気共鳴アンギオグラフィ）による血管撮影を含むこれらの一連の撮影手順を組合せて適切な診断を下すことができるため、臨床的な価値はきわめて高い。
【０００４】
このようにパルスシーケンスは日々改善されており、また、より有用な撮影条件及び撮影手順もユーザサイドから次々と発生され、報告されている。なお、本発明では、主にこれらユーザサイドから発生する撮影条件及び撮影手順を臨床プロトコルと称する。
【０００５】
その一方で、装置の成熟に伴い、ユーザサイドで自由に変更できる撮影条件の項目の数は、数年前に比べて、数倍に増加しているパルスシーケンスも少なくない。また、パルスシーケンスの種類の増加に伴って、撮影手順のバリエーションも拡大している。
【０００６】
しかし、撮影条件及び撮影手順の設定は、非常に専門知識が必要とされる。従って、撮影条件及び撮影手順の設定範囲を有効に活用して、本当に有用な臨床プロトコルを構築できるのは、ごく一部の医師又は撮影技師に限定されてしまう。
【０００７】
このため有用な臨床プロトコルの普及促進が一向に進まないのが現状である。
【０００８】
このような普及促進が進まないという問題は、臨床プロトコルに限ったことではなく、新規で有用なパルスシーケンスやアプリケーション等が開発されても、その普及は遅々として進まないこともある。通常、営業スタッフが施設病院を巡回してこのようなパルスシーケンスやアプリケーション等の普及に努めている。しかし、巡回には時間がかかる上、それらの多くはパッケージソフトとして販売されており、病院側は高いパッケージソフトの購入をためらうことも多い。
【発明の開示】
【発明が解決しようとする課題】
【０００９】
本発明の目的は、ＭＲＩにおけるハードウェア、アプリケーション、パルスシーケンス、さらには臨床プロトコルの普及促進を図ることにある。
【課題を解決するための手段】
【００１０】
本発明のある局面は、磁気共鳴現象を利用して被検体の内部を映像化する複数のＭＲＩ装置に電子的通信手段を介して接続されたＭＲＩシステムセンタ装置において、前記ＭＲＩ装置から、前記ＭＲＩ装置の使用状況を記録したログファイルのデータ又は前記ログファイルから抽出した使用状況データを受信するユニットと、前記ログファイルのデータ又は前記使用状況データを保管するユニットと、所定期間内に受信した前記ログファイルのデータ又は前記使用状況データを分析し、前記所定期間内のパルスシーケンス、アプリケーション、臨床プロトコル、画像ソフトウェア及びＲＦコイルの少なくともいずれかの使用回数又は使用時間を前記ＭＲＩ装置ごとに集計し分析データを生成するとともに、前記使用回数又は使用時間に基づいて経営支援情報を生成するユニットと、を具備する。
【発明の効果】
【００１１】
本発明によれば、ＭＲＩにおけるハードウェア、アプリケーション、パルスシーケンス、さらには臨床プロトコルの普及促進を図ることができる。
【発明を実施するための最良の形態】
【００１２】
以下、図面を参照して本発明を好ましい実施例により説明する。  
図１に、本実施例システムの全体構成を示している。ＭＲＩシステムセンタ装置１には、複数の病院にそれぞれ設置されている複数のＭＲＩシステム２が、専用線又は公衆回線網等の電子的な通信経路３３を介して接続されている。ＭＲＩシステム２は、ＭＲＩ装置２２と、通信端末（病院端末）２１と、保管装置２３とから構成される。
【００１３】
また、ＭＲＩシステムセンタ装置１には、専用通信経路４６を介して、ＭＲＩ装置及びその消耗品等の販売を担当する営業部門又は販売会社に設置された複数の営業部門システム３が接続されている。営業部門システム３は、通信端末（営業端末）４３を有している。
【００１４】
また、ＭＲＩシステムセンタ装置１には、専用通信経路４７を介して、既設のＭＲＩ装置のメンテナンスを担当するメンテナンスサービス部門又はメンテナンスサービス会社に設置された複数のメンテナンスサービス部門システム４が接続されている。メンテナンスサービス部門システム４は、通信端末（メンテナンスサービス端末）４４を有している。
【００１５】
また、ＭＲＩシステムセンタ装置１には、専用通信経路４８を介して、ＭＲＩ装置及びそれを構成するＲＦコイル等の構成要素（パーツ）の設計開発、またパルスシーケンス、画像処理アプリケーション等の開発を担当する開発部門又は開発会社に設置された複数の開発部門システム５が接続されている。開発部門システム５は、通信端末（開発端末）４５を有している。
【００１６】
図２には、ＭＲＩ装置２２の構成を示している。ＭＲＩ装置２２は、ガントリ２２１と、コンピュータユニット２２２とから構成される。ガントリ２２１は、静磁場磁石２２１−１と、勾配コイル電源２２１−４から電流供給を受けて勾配磁場パルスを発生する勾配磁場コイル２２１−２と、高周波磁場の発生及び磁気共鳴信号の検出とを行う高周波コイル（ＲＦコイル）２２１−３とを有する。高周波コイル２２１−３は、送受信兼用でもよいし、送信コイルと受信コイルとを別々に設けてもよい。周知のとおり、高周波コイル２２１−３は、ＭＲＩの感度領域、感度均一性及びＳ／Ｎを決定する重要な構成要素であり、感度領域の広さとＳ／Ｎとはトレードオフの関係にあるため、部位ごとに最適なＲＦコイルを使い分けることが一般的である。
【００１７】
高周波磁場を送信するときには高周波コイル２２１−３には送信部２２１−５が接続され、ＭＲ信号を受信するときには高周波コイル２２１−３には受信部２２１−５が接続される。これら勾配コイル電源２２２−１、送信部２２２−２及び受信部２２２−３は、シーケンサ２２２−１の制御のもとで、所望のパルスシーケンスに従って高周波磁場パルスを発生し、勾配磁場パルスを発生し、そしてＭＲ信号を受信する。
【００１８】
受信部２２１−５で増幅、検波、ディジタル化されたＭＲ信号はデータ収集部２２１−７を介して計算器２２２−２に送られる。計算器２２２−２は、ＭＲ信号に基づいて画像データを再構成する。この画像データは画像ディスプレイ２２２−２に表示される。計算器２２２−２には、コンソール２２２−４が接続され、操作者は、コンソール２２２−４を操作して、臨床プロトコルの選択、パルスシーケンスの選択、撮影条件の設定等のＭＲＩ装置の動作等に関するあらゆる指令を入力することができる。また、計算機２２２−２には、通信用コンピュータ２１と、保管装置２３とが接続される。なお、これら各ユニットは必ずしも同一施設内に存在する必要はなく、地理的に離れた場所にあっても同様の機能を有するものであれば、本発明のシステムセンタに含まれる。
【００１９】
図３には、システムセンタ１の構成を示している。システムセンタ１は、通信制御装置１７を介して回線３に接続される。通信制御装置１７は、制御／データバス９に接続される。バス９には、データベースユニット１０、パルスシーケンス等管理ユニット１１、臨床プロトコル／画像管理ユニット１２、ライセンス管理ユニット１３、料金計算ユニット１４、メンテナンス情報発生ユニット１５、ログファイル分析ユニット１８、アプリケーション管理ユニット１９、経営分析ユニット２０が接続される。
【００２０】
図４、図５は、本実施例の動作説明図である。ＭＲＩシステムセンタ装置１のデータベース１０には、複数のパルスシーケンスに関するデータと、画像処理等の複数のアプリケーションに関するデータと、複数の臨床プロトコルに関するデータと、複数の画像に関するデータが保管されている。
【００２１】
これらデータは、随時、更新され、常に最新版がデータベース１０に保管されている。これら最新のデータは、定期的に、ＭＲＩシステム２に送信される。ＭＲＩシステム２は、送信されたデータを病院端末２１を介して受信し、保管装置２３のデータを更新する。これにより保管装置２３には、データベース１０と同じ複数のパルスシーケンスに関するデータと、画像処理等の複数のアプリケーションに関するデータと、複数の臨床プロトコルに関するデータと、複数の画像に関するデータが保管される。ＭＲＩシステム２は、常に最新のパルスシーケンス、アプリケーション（インストールプログラム）、臨床プロトコルを使用することができ、また常に最新の画像データを参照することができる。
【００２２】
また、システムセンタ１は、ＭＲＩシステム２から定期的にログファイルデータを受信する。  
ログファイルは、ＭＲＩシステム２の計算機２２２−２でシーケンス、画像再構成、スキャンキューマネージャなどの各種ソフトウェアによって発生し、ログ記録領域２２２−５に一時的に記録されるもので、ＭＲＩシステム２の動作に関わる全ての状況を記録した一般的には未整理状態にある履歴ファイルであって、整理した状態ではその大部分は使用状況データで占められている。なお、ＭＲＩシステム２のログ記録領域２２２−５からシステムセンタ１にログファイルデータを送信する代わりに、ＭＲＩシステム２の計算機２２２−２でログ記録領域２２２−５に含まれるログファイルを分析して使用状況データを抽出し、その使用状況データをＭＲＩシステムセンタ装置１に送るようにしてもよい。ここではログファイルデータを送信するものとして説明する。
【００２３】
ログファイルは、ＭＲＩ装置２２を構成するＲＦコイル等のハードウェアの使用状況だけでなく、パルスシーケンス、アプリケーション、臨床プロトコル、画像データ等のソフトウェアの使用状況まで含めて記録される。具体的には、使用したパルスシーケンスの種類、その使用回数、撮影枚数、出力したフィルム枚数、使用したＲＦコイルの種類、その使用回数、ＲＦアンプの使用時間、傾斜磁場アンプの平均パワー、傾斜磁場の強度、臨床プロトコルの使用回数、使用したアプリケーションの種類、その使用回数等である。
【００２４】
臨床プロトコルは、撮影条件及び撮影手順に関わる実際的な情報を主に含んでいる。つまり臨床プロトコルは、医師又は撮影技師が試行錯誤の上で発見したであろう臨床的に有意義な撮影条件及び撮影手順に関する情報であり、それには、ＲＦコイルの種類、フィルミング、パルスシーケンスの組み合わせ、パルスシーケンスの繰り返し時間ＴＲやエコー時間ＴＥ、被検体に吸収されるＲＦ照射量（ＳＡＲ）、スライス枚数、使用したマトリクスサイズ、分解能等のパルスシーケンス内の各種パラメータ（撮影条件）等が含まれる。
【００２５】
これらパルスシーケンス、アプリケーション、臨床プロトコル、画像データ等のソフトウェアは、上述したように、保管装置２３に保管されており、操作者から計算器２２２−１に対して所望するデータのアクセス指示があったとき、そのアクセス記録（アクセス時刻、アクセス回数等）がソフトウェアの使用状況としてログファイルに記録される。
【００２６】
ＭＲＩシステムセンタ装置１のデータベース１０には、回線３３でつながっており且つ所定の契約を結んでいる全てのＭＲＩシステム２から受信したログファイルデータを保管している。ログファイル分析ユニット１８は、データベース１０に収められている一定期間（例えば１ヶ月）内のログファイルデータを分析し、一定期間内のパルスシーケンス、アプリケーション、臨床プロトコル、画像データ等のソフトウェアそれぞれの使用量（使用回数、使用時間等）、ＲＦコイル等のハードウェアの使用量（使用回数、使用時間等）をＭＲＩシステム２ごとに集計する。また、ログファイル分析ユニット１８は、後述する各種目的に応じた分析を行なうプログラムを有し、開発部門システム５へ分析結果を送信する。
【００２７】
パルスシーケンス管理ユニット１１は、主にメーカサイドから提供されるパルスシーケンスデータのデータベースユニット１０への新規登録、更新、削除といったデータベースユニット１０の管理作業を行う。アプリケーション管理ユニット１９は、メーカサイドから提供されるアプリケーションのデータベースユニット１０への新規登録、更新、削除といったデータベースユニット１０の管理作業を行う。
【００２８】
臨床プロトコル／画像管理ユニット１２は、ユーザサイド（ＭＲＩシステム２）で発生する臨床プロトコルデータ及び画像データのデータベースユニット１０への新規登録、更新、削除といったデータベースユニット１０の管理作業を行う。ライセンス管理ユニット１３は、ＭＲＩシステム２から発信される個別情報（ユーザＩＤ）に基づいて保管装置２３への送信データの階層又はデータベースユニット１０に対するアクセスの階層に制限をつける。
【００２９】
料金計算ユニット１４は、ログファイル分析ユニット１８で分析されたハード及びソフトウェアの使用量データと各ソフトウェア／ハードウェアの使用時間あるいは使用回数当たりの単価から、使用料金をＭＲＩシステム２ごとに計算するとともに、ＭＲＩシステム２から使用許諾を伴ってアップロードされた臨床プロトコルデータ及び画像データの提供者に対するロイヤリティ（報酬）をＭＲＩシステム２ごとに計算する。
【００３０】
メンテナンス支援ユニット１５は、分析されたハードウェアに関する使用量データに基づいてＭＲＩシステム２のメンテナンスサービスを支援する情報、例えばメンテナンスサービスをすべき予定時期及び故障原因を推定する。また、ログファイルの使用状況データから、万一の故障時に故障原因を推定することができる。この推定した原因は、つまり、現在のＭＲＩ装置では、装置の不具合がすべてのパルスシーケンス、画像に影響を及ぼすことはむしろまれで、特定の条件の組合せで画像アーチファクトが発生する。上記ログファイルを利用することで、画像から故障原因の追求が可能となる。メンテナンス支援ユニット１５は、ログファイルに基づいて、この故障原因を推定する。
【００３１】
経営分析ユニット２０は、ログファイル分析ユニット１８で分析されたハード及びソフトウェアの使用量データから、病院経営に役立つ１日あたりの患者数や撮影所要時間といった各種経営指標データを発生する。
【００３２】
ＭＲＩシステムセンタ装置１から、病院のＭＲＩシステム２には、臨床プロトコル等のソフトウェアデータの他に、上記課金データ、ロイヤリティデータ、メンテナンスデータ、経営指標データが送信される。
【００３３】
ＭＲＩシステムセンタ装置１から、営業部門端末３、メンテナンスサービス部門端末４、開発部門端末５には、臨床プロトコル使用量データや、パルスシーケンススシーケンス使用量データ、アプリケーション使用量データ、ＲＦコイル等のハードウェア使用量データ、課金データ、ロイヤリティデータ、メンテナンス支援データ、経営指標データが送信される。営業部門、メンテナンスサービス部門、開発部門は、送信されたデータを、営業戦略の策定、メンテナンススケジュールの立案、開発方針の策定等に活用することができる。
【００３４】
以上の仕組みは、メーカサイドとユーザサイドとの両方にとって様々なメリットを提供する。メーカサイド（システムセンタサイド）にとっては、パルスシーケンス、アプリケーション、臨床プロトコル等の普及を促進することができる。また、ログファイル（使用状況データ）を分析することにより使用量が統計的に得られるためニーズに合致した営業戦略、開発計画を立てることができる。また、適時にメンテナンスサービスを実施することができる。
【００３５】
ユーザサイド（ＭＲＩシステムサイド）にとっては、常に最新のパルスシーケンス、アプリケーション、臨床プロトコル、画像を使用することができる。また、従来のようなメーカからのパッケージ提供に従ってパルスシーケンスやアプリケーションのバージョンアップ費用を一時に支出することがなくなり、使用量に応じた従量制となり患者への転嫁の基準が明確化される。つまり、上記ログファイルを用いれば、パルスシーケンスごとの使用量が計測でき、使用量に応じてメーカに使用量を支払えばよい。現在では、１００乃至２００種類近いパルスシーケンスが存在するが、すべてを買い上げると、相応のコストが発生する。これを使用量に応じた支払いに変更することで、初期経費ではなくランニングコストとしてソフトウェアを購入可能となる。
【００３６】
また、ユーザサイドごとに各種症例に応じて様々に工夫した臨床プロトコルや画像の提供に対して相当のロイヤリティ（報酬）を付与することができるので、臨床プロトコル及び画像の普及促進が図られる。もちろん、臨床プロトコル及び画像だけでなく、新規なパルスシーケンスやアプリケーションをＭＲＩシステム２からセンタ１のデータベースユニット１０にアップロードすることも可能である。
【００３７】
また、メーカからユーザに対するパルスシーケンス等の使用量に関する料金を計算し、ユーザから患者に対するパルスシーケンスの使用量とＭＲＩ装置の占有時間（撮影時間）とで請求金額を計算することにより、費用発生のメカニズムが明確になる。これは、新規パルスシーケンスのリリースに高い有用性がある。例えば、ネットワーク経由の配信機能でバイナリのソフトウェアと期間限定で無料で使用できるライセンスを提供し、画質や臨床的な有効性を判断した上で、永続的なライセンスの購入をお願いする、といった営業活動が容易に可能になる。このためにはライセンスを発行する仕組みが必要である。
【００３８】
つまり、臨床プロトコル及び画像データ等のソフトウェアに対してそれぞれアクセスレベルを関連つけることで、ライセンス管理ユニット１３は、ユーザとの間で契約したライセンスレベル（アクセス権限）に従って、図６に示すように、提供範囲に制限を設定することができる。ただし、臨床プロトコル及び画像データのシステムセンタ１への提供は、全ユーザを対象としており基本的に差は無い。  
ライセンスレベルＣ：画像閲覧のみ  
ライセンスレベルＢ：画像＋簡略臨床プロトコル  
ライセンスレベルＡ：画像＋詳細臨床プロトコル。
【００３９】
このようなアクセス権を付けることで、提供情報に制限をつける。ロイヤリティは金銭でなくても、臨床プロトコルおよびシーケンス利用権として受け取ることができる。ユーザの情報についても、適切な評価を行い、ロイヤリティを臨床プロトコルおよびシーケンス利用権の形で支払うこともできる。
【００４０】
このようなライセンスレベルの違いによって、ユーザが契約を行なったときに支払う対価が異なるように料金が設定される。また、ログファイル分析ユニット１８において各臨床プロトコルの使用頻度を計測し、一定以上の使用頻度の臨床プロトコルを提供した等ユーザには無償でライセンスレベルの格上げを行なうようにライセンス管理ユニット１３のプログラムを設定してもよい。その際、ＭＲIシステム２に対して、ライセンスレベルの変更を行なったことを知らせる通知がシステムセンタ１から送信される。臨床プロトコルの使用頻度以外でも、学術的貢献等他の貢献度をポイント化してシステムセンタ１にて入力し、計数するようにしてもよい。
【００４１】
以下に、本実施例の作用効果について詳細に説明する。  
１−１「臨床プロトコルの普及促進」  
上述した臨床プロトコルは、撮影手順を表しているが、その中にはパルスシーケンス及びそのＴＲやＴＥ等の具体的なパラメータを含んでいる。しかし、これらパラメータそれ自体というよりむしろ、ＲＦコイルや撮影部位に応じた分解能の選択、コントラストの選択などのノウハウ的な情報が重要な価値を含んでいると考えられる。つまり、施設ごとの工夫が現れるのも臨床プロトコルが主体であり、パルスシーケンスと全く同様の理由で、普及拡大による恩恵は大きい。
【００４２】
しかしながら臨床プロトコルは、可読性が大きいためパルスシーケンスに比較して保護しにくい対象である（ＴＲなど若干の変更であれば、画質にほとんど影響を与えずに模倣することが容易）。従って、著作権保護に似た仕組みが必要となる。つまり、臨床プロトコル単体での保護は難しいので、臨床プロトコルを格納した保管装置２３へのアクセス、又はセンタ１のデータベース１０へのアクセスに基づいてログファイルを作成する。これにより、臨床プロトコルの使用状況をパルスシーケンスやアプリケーションの使用量と同様に、正確に計測することが可能である。
【００４３】
また、施設によっては外部へ臨床プロトコルの提供を行いたくない場合も考えられるので、ログファイルからの使用状況の抽出レベルの設定変更により、提供範囲を抑制可能である。
【００４４】
このような仕組みを採用することにより、施設毎に開発された有効な臨床プロトコルを、その使用許諾を伴って、センタ１に登録して、他の施設に使ってもらうことが可能となる。有効な臨床プロトコルを提供したユーザへの報酬の支払い方法としては、  
１）メーカ側が買い取り他の施設に販売する、  
２）施設間でのやり取りで、メーカを経由せずにロイヤリティを清算する、  
３）メーカ側からの新たなパルスシーケンスデータやアプリケーションの無償提供等で相殺する、  
等の方法が考えられる。いずれにせよ、提供、報酬、抑制との組み合わせによって有効な臨床プロトコルの普及促進が図られるものであると考えられる。つまり使用に伴って課金とロイヤリティとの両方を発生させることで、メーカ側からの一方通行の提供ではなく、臨床プロトコルという高度に医学的な知識を必要とするノウハウのような情報でも、臨床の立場からの寄与を定量化できることで、情報の共有化とロイヤリティの設定が可能になり、他施設への導入が容易になる。
【００４５】
上述したように有用な臨床プロトコル及び画像データは、ユーザサイドで発生することが多い。この普及は、課金とロイヤリティの両面に支えられて促進されるものと考えられる。
【００４６】
図７には、臨床プロトコル及び画像データの普及手順を示している。ある病院のＭＲＩシステム２で、医師又は撮影技師が独自判断で有用と思われる臨床プロトコル又は画像が発生した場合、そのＭＲＩシステム２からセンタ１に、その有用な臨床プロトコル又は画像データが送信される。センタ１では、臨床プロトコル又は画像データの有用性を審査し、それをパスした臨床プロトコル又は画像データをデータベース１０に登録するとともに、ＭＲＩシステム２に送信する。
【００４７】
ＭＲＩシステム２では、送られてきた臨床プロトコル又は画像データを保管装置２３に保管すると共に、必要に応じて過去の古いデータを削除する（データ更新）。
【００４８】
ある病院のＭＲＩシステム２でこれら臨床プロトコル又は画像データを使用した場合、その使用状況がログファイル又は使用状況データとしてセンタ１に送られる。センタ１の料金計算ユニット１４は、使用状況（使用量）に応じて、利用者に対する使用料金を計算し、また情報提供者（著作権者）に対するロイヤリティを計算する。そしてそれぞれのＭＲＩシステム２に課金データ、ロイヤリティデータを定期的に送信する。ユーザは、契約時に振り込み方法をオンラインあるいはオフラインのいずれかを選択してあり、その方法に応じて請求書が送付される。また、期日までに入金が無い場合は、センタ１からＭＲＩシステム２へ警告を発し、それでも一定期間内に入金されない場合は臨床プロトコルが使用できないようにＭＲＩシステム２内のプログラムを書き替える等の措置を取ることを可能とする。
【００４９】
また、センタ１から自動的にＭＲＩシステム２に送信するのではなく、ユーザがセンタ１にアクセスして必要な臨床プロトコルをダウンロードするようにしてもよい。
【００５０】
図８には、臨床プロトコルを選択するためのメイン画面を示している。この画面には、複数の部位別ディレクトリボタンが表示される。各ボタンには、それぞれの部位に応じた図柄が描画される。画面左側には、選択されている部位別ディレクトリに対応する撮影手順オプションが表示される。なお、図８では、頭部ルーチンという１種類のみが表示されている。撮影手順オプションの右側には、選択されている撮影手順オプションの簡易情報が表示される。図８では、撮影位置を決定するためのロケータを、フィールドエコー法（ＦＥ）で行い、そのパルスシーケンスの推奨される撮影条件（ＴＲ、ＴＥ、ＮＳ）の具体値で行うことが表示されている。医師又は撮影技師はこの撮影手順や撮影条件を参照して、使用する臨床プロトコルを決定することができる。
【００５１】
選択終了ボタンを押すと、使用する臨床プロトコルが決定され、保管装置２３から計算器２２２−２に当該臨床プロトコルデータがロードされる。それと共に、プロトコルエディターが起動し、図９に示すように、撮影条件の編集画面が表示される。この画面上で撮影条件の値を任意に変更することができる。
【００５２】
このように臨床プロトコルの選択及び編集を非常に簡易に行い得るように、選択及び編集画面が構成されている。
【００５３】
なお、上述では、ソフトウェアデータはユーザサイドの保管装置２３に保管され、ＭＲＩ装置２２から保管装置２３に対してアクセスされるものとして説明したが、メーカ側のセンタ１の運用形態として、ＷＷＷサーバー上に各種ショーケースを準備し、新規なパルスシーケンス、アプリケーション等についてはそれぞれの特徴と得られた画像などを閲覧可能として、また臨床プロトコルとしては、使用シーケンス、撮影条件のうち概要のみを情報として提供し、特に臨床画像、症例を閲覧可能として、ユーザ側としては、インターネットブラウザ等で閲覧を行い、気に入ったものをダウンロードして試用するようにしてもよい。この場合、当初の一定期間あるいは一定回数は無料使用できるようなプログラムをソフトウェアに組み込み、その後ユーザが本登録することにより実績に応じて課金されることになる。ＰＣ等のソフトウェアの試用版と同様、分解能、スライス枚数、フィルムへの印刷機能等制約条件を設定することも可能である。臨床プロトコルについては、ダウンロードしたものを施設毎の実情に合わせて改造し、利用してもらう。改善が得られる場合には、さらにセンタ１にアップロードしてもらい、情報の共有を図る。改善の程度により、元の臨床プロトコルに対する使用量の免除等のサービスを提供すれば活性化が図れる。
【００５４】
１−２「課金機能」  
メーカの提供するパルスシーケンスデータ及びアプリケーションの使用に対する課金の他に、上述したように、臨床プロトコルデータの使用量に対して課金することも実現可能である。すなわち、臨床プロトコル使用やそのダウンロードについてもログファイルにより測定可能である。つまり、臨床プロトコルについては特にメーカサイドではなく、ユーザサイド（臨床現場）で発生したものにこそ有用性が高いため、ほとんどの場合で、臨床プロトコルの著作権はユーザに帰する。しかしながら、課金システムの使用手数料を定額もしくは臨床プロトコル使用量に対する定率で徴収することにより、合理的な範囲で臨床プロトコル課金システムの維持を可能とする。
【００５５】
１−３「ネットワークによる臨床プロトコルデータの集約」  
センタ１側から定期的に臨床プロトコルの使用状況のデータベースユニット１０にアクセスするか、もしくはユーザが積極的にアップロードを行うことでセンタ１に臨床プロトコルデータを集約することができる。この臨床プロトコルデータを用いて、以下のようなサービスを提供可能とする。
【００５６】
「ネットワークによるシーケンス使用率の検索」  
各シーケンスの使用量を時系列的に測定し、開発部門システム５へ結果を送信することにより、どのシーケンスが多く使用されているかメーカサイドで知ることができる。また、シーケンスの使用条件についてのデータも合わせて収集し開発部門システム５へ出力することにより、多く使われているシーケンスについての使用条件等を分析することができ、そのシーケンスのどこを改善すれば臨床的な有効性を効率的に高めることが可能かの判断の元になる情報をメーカサイドが収集できる。
【００５７】
１−４「閲覧用臨床プロトコルデータベースユニットの整備」  
画像データ及び臨床プロトコルデータを公開可能なデータベース構造とし、データベースユニット１０のアクセス権限に図６に示すようにライセンス管理ユニット１３において差をつける。ただし、アップロードは、全ユーザを対象としており基本的に差は無い。  
ライセンスレベルＣ：画像閲覧＋画像種のみ  
ライセンスレベルＢ：画像＋簡略臨床プロトコル  
ライセンスレベルＡ：画像＋詳細臨床プロトコル。
【００５８】
このようなアクセス権限の有無により、提供する情報に差をつける。情報、もしくは金銭でロイヤリティを払っていただいたユーザにメーカからの情報を提供する。臨床プロトコルの提供などユーザの情報についても、適切な評価を行い、ロイヤリティを臨床プロトコルおよびシーケンス利用権の形で支払う。
【００５９】
１−５「臨床プロトコルデータベースユニットの利用」  
データベースユニット１０に蓄積された類似の症例データに開発部門システム５からアクセスし、そのデータに基づいて対応する臨床プロトコルを比較してより有効だと思われる臨床プロトコルをメーカサイドからユーザへ提案する。
【００６０】
１−６「臨床プロトコルのトレンドの変化を捉える手段」  
全使用者のパルスシーケンスの利用量、使用パラメータなどからシーケンスの利用のされ方の変化をモニターすることでニーズに合った開発が行うことができるというメーカサイドの利便性に加え、健康保険や政府機関などによる医療動向調査などにも利用可能となる。
【００６１】
１−７「臨床プロトコルの使用量に対して、モデルケースからの偏差を提案」  
各シーケンスのトレンドを表わすデータを出力することにより、ＭＲＩシステム２毎の最適な利用方法に関するモデルケースをメーカサイドが把握することができる。これにより、利用量の高いシーケンス、臨床プロトコルに対する改善提案もしくはモデルの提示をユーザに行うことができる。
【００６２】
２「経営支援情報の提供」  
全体のサイトの平均値からの偏差、１日あたりのパフォーマンス、患者あたりの利用時間、シーケンスの使い方の偏り等の統計データを含む病院経営等の支援レポートをセンタ１で作成し、ＭＲＩシステム２から出力可能とする。また、統計データに基づいて、使用量に応じてパルスシーケンスの改良版をメーカサイドからユーザに対して提案することもできる。
【００６３】
３「ネットワーク＋課金」  
臨床プロトコル及びシーケンス、アプリケーションなどの使用量の情報をネットワーク経由で収集し、使用量に応じて課金することが可能である。
【００６４】
上記を総合し、磁気共鳴映像装置の使用状況をより詳細に計数することで、従来の買い切りのハードに売上を依存するのではなく、ハードウェアを核としたサービスの提供を継続的に行うことで，メーカとユーザとの双方が利益を得られる。資金を回収できたパルスシーケンスは無料提供、今後の開発が必要か、有効性が高いものに研究の方向性を向けることができる。
【００６５】
４−１「ログファイルの使用例１（ＲＦコイルの使用量）」  
ＭＲＩシステム２の使用者は、ＭＲＩシステム２を使用するにあたり被検体にＲＦコイル２２１−３を装着する。ＭＲＩシステム２はどのようなＲＦコイル２２１−３が装着されるかは電気的な自動手段、あるいは操作者による手入力により知ることが可能である。したがって、ＭＲＩシステム２の制御用のコンピュータ２２２は１日のうちどのくらいの量を以ってＲＦコイル２２１−３が使用されたかをＲＦコイル２２１−３毎に知ることが可能である。
【００６６】
制御用コンピュータ２２２は特定の時間単位（リアルタイム、１日、あるいは１週間など）でＲＦコイル２２１−３の使用状況データをログファイル通信用コンピュータ２１に引き渡す。
【００６７】
通信用コンピュータ２１は、引き渡された情報をさらに適切な時間単位に変更（リアルタイム→１日、１日→１週間など）するか、あるいは変更せずにそのままセンタ１に引き渡す。センタ１に引き渡された結果は、ログファイル分析ユニット１８によって、ＭＲＩシステム２の設置サイト毎あるいは病院の病床数、専門領域、販売／サービスの地域、シーケンス、対象部位などの属性情報により仕分けされ統計的に処理されて開発部門システム５に提供される。これにより、それぞれの属性毎にＲＦコイルの使用量を検知することが可能である。
【００６８】
この結果は、次のような判断のため提供できるという意味で分析を実行する側およびＭＲＩシステム使用者相互に利益を提供することが可能である。  
（１）特定のＲＦコイルの使用量が高い使用者に対して、ＲＦコイルの耐用期限の管理が可能であり診断の質を保てる。センタ１は、ＲＦコイルの耐用期限が近づくと、ユーザあるいはメーカサイドに通知を送信する。これに基づき、ＲＦコイルが使用不能になる前にユーザは修理、買い替えなどの選択をすることができる。  
（２）特定のＲＦコイルの使用量のデータをメーカへ出力することにより、使用量が高い使用者に対して、新型のＲＦコイルの販売機会を増大させることができ結果として使用者の患者に対する診断能力を向上することができる。  
「ログファイルの使用例２（画像保存枚数の計測）」  
ＭＲＩシステム２では、検査結果の画像をフィルム、電子的方法のいずれかにより医師に提供するのが通常である。本実施例のＭＲＩシステム２は検査結果の画像のフィルム結果出力枚数、電子的サイズを計量することが可能である。制御用コンピュータ２２２により、ＭＲＩシステム２が何枚のフィルムを出力したか、あるいはどのくらいの枚数、サイズ（たとえばメガバイト）の大きさの電子的ファイルを出力したかの計数を行う。電子的サイズは光ディスク、磁気記憶装置などの外部周辺装置あるいはＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）などへの出力サイズにより計数可能である。
【００６９】
これらの計数値を使用例１と同様の方法により、通信用コンピュータ２１に引き渡す。使用例１と同様の方法により分析されたフィルム枚数、電子的画像サイズに関する統計的データをメーカサイドで出力することが可能である。
【００７０】
この結果を次のような利益として使用者に提供することができ、メーカサイドの営業に役立つ資料として利用可能である。
【００７１】
（１）フィルム枚数の年々の増大を防ぎ、管理コストを低減するための導入機会を合理的数値で示すことが可能である。例えば、枚数の月次あるいは年次推移から、将来のトータルコストを試算しＰＡＣＳなど電子的保管装置を導入することにより管理コストを低減するなどの提案をＭＲＩシステム２の使用者に対して行うことができる。
【００７２】
（２）光ディスク、磁気記憶装置などの外部周辺装置は年々大容量化が推し進められているが、ＭＲＩシステム２の使用者側の使用状況を知ることにより製造者が要求に見合った合理的な容量を持った装置を提供することが可能である。例としては、６４０ＭＢの光磁気ディスク装置の使用枚数が１日に８枚であるとすれば、５．２ＧＢの容量を持つＤＶＤＲＡＭ装置などへの置き換えを磁気共鳴映像装置使用者へ提案することにより、メディア交換、メディア管理、メディア購入費用などのさまざまな面で磁気共鳴映像装置使用者の費用低減を支援することが可能となる。
【００７３】
４−２「ログファイルの使用例３（病院経営指標のアドバイス）」  
ＭＲＩシステム２からは１日の画像撮影枚数、１日の患者数、患者一人あたりの撮影所要時間などが出力される。病院経営にとってこれらのスループットは重要なファクターである。ＭＲＩシステム２から、通信回線によって受け取られるこのデータをセンタ１のユニット２０で把握し、ユニット２０内のプログラムを実行することにより、全国レベルの平均値と比較したデータをメーカサイドに出力する。このデータに基づいて、どの程度の収益性を当該病院が有しているのか、それは有意に高いのか低いのかの判定を実施することが可能となる。この結果を、利益として以下のような形で使用者に提供することが可能である。この経営アドバイスは病院経営者に販売する。
【００７４】
（１）病院には、脳神経外科や循環器などそれぞれの専門性を有する病院が存在する。病院の特質はＲＦコイルの使用量やその他の調査から、判明する。例えば、脳神経外科の病院では一人の患者にどのくらいの時間をかけていて１日何人程度の患者を見ているかの全ユーザの平均値を測定し、メーカサイドへ出力することが可能である。当該病院のスループットが統計処理の結果、全国平均よりも有意に低ければ、病院経営者に対してルーチン作業の改善、シーケンスの改善などのアドバイスを行うことが可能である。
【００７５】
（２）上記により作業あるいは何らかの改善を実施した場合、その結果がどのように改善をもたらしたのかはこれまでなかなか知ることができなかったが、患者一人あたりに所要する時間の変化、患者数などの変化を本方法で統計的に測定し、メーカサイドで出力することにより改善の効果の証明を客観的に行うことが可能となる。
【００７６】
本発明は上述した実施例に限定されず、種々変形して実施可能である。例えば、電子的通信回線の補助及び安全性強化の手段として、使用状況データの通信において、通信経路以外の電子的、磁気的、電気磁気的あるいは光的媒体を併用することが可能である。このような媒体を使用することにより、通常は悪意のあるネットワーク侵入者の被害からデータの安全性を確保することが可能である。すなわち、使用状況は通常の電子的通信回線によりＭＲＩシステムセンタ装置への通信により行われるが、ＭＲＩシステムセンタ装置からソフトウェアやパルスシーケンスのダウンロードのためにはそれらを書き込んだＣＤ−ＲＯＭあるいは光磁気ディスクにて行ったり、あるいはダウンロードは電子的通信回線で行い、認証はＭＲＩシステムセンタ装置が発行し、利用者に給付されるセキュリティーカードなどのハードウェア媒体あるいは認証番号により使用が可能な状態となることである。
【００７７】
また、ログファイルを分析してハードウェア及びソフトウェアの使用量を計算し、更にその使用料金を計算するのは、上述の説明ではＭＲＩシステムセンタ装置１で実施していたが、これら作業をＭＲＩシステム２で実施し、その結果をＭＲＩシステムセンタ装置１に送信するようにしてもよい。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７９】
【図１】図１は、本発明の実施例に係るＭＲＩシステムセンタ装置を中心としたシステム全体の構成図。
【図２】図２は、図１のＭＲＩシステムの構成図。
【図３】図３は、図１のＭＲＩシステムセンタ装置の構成図。
【図４】図４は、図１のＭＲＩシステムセンタ装置と病院端末と営業部門端末（メンテナンス部門端末、開発部門端末）との間で通信されるデータを示す図。
【図５】図５は、図１のＭＲＩシステムセンタ装置と病院端末と営業部門端末（メンテナンス部門端末、開発部門端末）との間での通信手順を示す図。
【図６】図６は、図２のライセンス管理ユニットによるライセンス管理の概念図。
【図７】図７は、本実施例において、臨床プロトコルの集配手順を示す図。
【図８】図８は、本実施例において、ＭＲＩシステムのディスプレイに表示される臨床プロトコルの選択画面を示す図。
【図９】図９は、本実施例において、ＭＲＩシステムのディスプレイに表示される臨床プロトコルの編集画面を示す図。
【符号の説明】
【００８０】
１…ＭＲＩシステムセンタ装置、２…ＭＲＩシステム、３…営業部門システム、４…メンテナンスサービス部門システム、５…開発部門システム、２１…通信端末（病院端末）、２２…ＭＲＩ装置、２３…保管装置、３３…電子的通信経路、４３…通信端末（営業端末）、４４…通信端末（メンテナンスサービス端末）、４５…通信端末（開発端末）、４６…専用通信経路、４７…専用通信経路、４８…専用通信経路。
【図１】
2011062571.tif 000003
【図２】
2011062571.tif 000004
【図３】
2011062571.tif 000005
【図４】
2011062571.tif 000006
【図５】
2011062571.tif 000007
【図６】
2011062571.tif 000008
【図７】
2011062571.tif 000009
【図８】
2011062571.tif 000010
【図９】
2011062571.tif 000011